(57)【要約】      （修正有）【課題】質量は質量エネルギーにより異なる。見える物質（星）の1原子の質量とダークマターの(陽子のラブ＋電子のラブ)1個の質量はいくらか。見える物質の原子数とダークマターの(陽子のラブ＋電子のラブ)の数の比はいくらか。【解決手段】星の温度を5000℃とする。見える物質（星）の1原子の質量＝1.67356×10-27Kg×(5000℃)1/2＝1.183×10-25Kg。ダークマターの(陽子のラブ＋電子のラブ)1個の質量＝1.67356×10-27Kg÷2731/2＝1.013×10-28Kg。見える物質の原子数をx個とする。ダークマターの(陽子のラブ＋電子のラブ)の数をｙとする。見える物質の質量×19＝ダークマターの質量。ｘ個×(1.183×10-25Kg) ×19＝y個×(1.013×10-28Kg)。ｘ＝y×(1.013×10-28Kg)÷(1.183×10-25Kg)÷19＝4.5068×10−5×ｙ。ｘ：ｙ＝１：2.219×104です。ほとんどはダークマターです。これにより、ビッグバンの以前の様子が解る。各々の軌道で電子のラブに成り、陽子のラブに成った事が理解できる。【選択図】図２
2019080395.tif 000002
【特許請求の範囲】
【請求項１】
質量は質量エネルギーにより異なる。
1．地表の物質の1原子の質量はいくらか。
地表の(陽子のラブの質量＋電子のラブ)の質量＝1.67265×10-27Kg＋9.1×10-31Kg＝1.67356×10-27Kg
地表の物質の1原子の質量は1.67356×10-27Kgです。
1．銀河の星の1原子の質量はいくらか。
星の温度を5000℃とすると、A=(5000℃)1/2=7.071×10、です。
見える物質（星）の1原子の質量＝地表の1原子の質量×(5000℃)1/2＝1.67356×10-27Kg×7.071×10＝1.183×10-25Kg
銀河の星の1原子の質量は1.183×10-25Kgです。
1．ダークマターの(陽子のラブ＋電子のラブ)1個の質量はいくらか。
ダークマターの温度は−273℃です。A=(−273)1/2=-16.523
ダークマターの(陽子のラブ＋電子のラブ)1個の質量＝地表の1原子の質量÷(273)1/2＝1.67356×10-27Kg÷16.523＝1.013×10-28Kg
ダークマターの(陽子のラブ＋電子のラブ)1個の質量は1.013×10-28Kgです。
この事を表に示す。
星の1原子の質量とダークマターの(陽子のラブ＋電子のラブ)1個の質量
表７
2019080395.tif 000011
【請求項２】
銀河系の物質の原子数と質量と、ダークマターの(陽子のラブ＋電子のラブ)の数と質量。宇宙全体の物質の原子数と質量と、ダークマターの(陽子のラブ＋電子のラブ)の数と質量はいくらか。
銀河系の中心のブラックホールは3×106太陽質量です。
全質量は1.26×1012太陽質量。この内可視光の物質は6.43×1010太陽質量です。
銀河系の質量は2×1012太陽質量です。
速度は210〜240Km/sです。
1．可視光の物質は全質量の何パーセントか。
可視光の物質÷全質量×100＝6.43×1010太陽質量÷(1.26×1012太陽質量)×100＝5(％)
可視光の物質は全質量の5パーセントです。
95％はダークマターです。
1．ダークマターの(陽子のラブ＋電子のラブ)の質量はいくらか。
ダークマター＝全質量−可視光の物質＝1.26×1012太陽質量−6.43×1010太陽質量＝(126−6.43)×1010太陽質量＝119.57×1010太陽質量
ダークマターの(陽子のラブ＋電子のラブ)の質量＝119.57×1010太陽質量＝119.57×1010×1.988×1030Kg＝2.377×1042Kg
ダークマターの(陽子のラブ＋電子のラブ)の質量は119.57×1010太陽質量で2.377×1042Kgです。
1．ダークマターの(陽子のラブ＋電子のラブ)の数は何個か。
ダークマターの(陽子のラブ＋電子のラブ)数＝119.57×1010太陽質量÷ダークマターの(陽子のラブ＋電子のラブ)1個の質量＝119.57×1010×1.988×1030Kg÷(1.013×10-28Kg)＝2.377×1042Kg ÷(1.013×10-28Kg)＝2.346×1070(個)
ダークマターの(陽子のラブ＋電子のラブ)の数は2.346×1070個です。
１．銀河系の可視光の物質の原子は何個か。
銀河系の可視光の物質の原子数＝6.43×1010太陽質量÷(1.183×10-25Kg)＝6.43×1010×1.988×1030Kg÷(1.183×10-25Kg)＝1.278×1041Kg÷(1.183×10-25Kg)＝ 1.080×1066個
銀河系の可視光の物質の原子は1.080×1066個です。
銀河系の可視光の物質は全質量の5パーセントです。その質量は6.43×1010太陽質量で、6.43×1010×1.988×1030Kg＝1.278×1041Kg、です。その原子数は、1.080×1066個です。
銀河系のダークマターの質量は119.57×1010太陽質量で、119.57×1010×1.988×1030Kg＝2.377×1042Kg、です。そのダークマターの(陽子のラブ＋電子のラブ)の数は2.346×1070個です。
表にまとめて示す。
銀河系の星の物質と銀河系のダークマター
表８
2019080395.tif 000012
【請求項３】
銀河系の中心のブラックホールは3×106太陽質量で、銀河系の全質量は2×1012太陽質量です。この事から、宇宙の全質量を計算する。
銀河系の中心のブラックホールは、3×106太陽質量で、銀河系の全質量2×1012太陽質量を支えている。
宇宙の中心のブラックホールは2.631×1013太陽質量で、どれだけの質量を支えているか。
ブラックホールが支える銀河の質量は、ブラックホールの質量に比例すると考える。
1．宇宙の中心のブラックホールが支える事ができる質量はいくらか。
2.631×1013太陽質量で支える質量をｘとする。
3×106太陽質量：2×1012太陽質量＝2.631×1013太陽質量：ｘ
ｘ＝2×1012太陽質量×2.631×1013太陽質量÷（3×106太陽質量）＝1.754×1019太陽質量
宇宙の中心のブラックホールが支える事ができる質量は1.754×1019太陽質量です。
１．1.754×1019太陽質量のうち、5％の見える物質の質量はいくらか。
1.754×1019太陽質量×0.05＝8.77×1017太陽質量
1.754×1019太陽質量のうち、5％の見える物質の質量は8.77×1017太陽質量です。
宇宙の中心のブラックホールが支える事ができる、見える物質の質量は8.77×1017太陽質量です。
１．見える物質の質量と原子数はいくらか。
見える物質の質量は、8.77×1017×太陽質量＝8.77×1017×1.988×1030Kg＝1.743×1048Kg 、です。
見える物質の質量の原子数＝見える物質の質量÷見える原子1個の質量＝1.743×1048Kg÷(1.183×10-25Kg)＝1.473×1073(個)です。
１．1.754×1019太陽質量のうち、ダークマターの質量はいくらか。
ダークマターの質量＝全質量−見える物質の質量＝1.754×1019太陽質量−8.77×1017太陽質量＝(175.4−8.77) ×1017太陽質量＝166.63×1017太陽質量
1.754×1019太陽質量のうち、ダークマターの質量は166.63×1017太陽質量です。
1．ダークマターの質量とダークマターの(陽子のラブ＋電子のラブ)の数はいくらか。
ダークマターの質量＝166.63×1017太陽質量＝166.63×1017×1.988×1030Kg＝3.312×1049Kg
ダークマターの(陽子のラブ＋電子のラブ)の数＝ダークマターの質量÷ダークマターの(陽子のラブ＋電子のラブ)1個の質量＝3.312×1049Kg÷(1.013×10-28Kg)＝3.269×1077個
この事をまとめて表に示す。
宇宙の中心のブラックホールは2.631×1013太陽質量で、支える質量は1.754×1019太陽質量です。
1.754×1019太陽質量のうち、見える物質とダークマター
表９
2019080395.tif 000013
【請求項４】
見える物質の原子数とダークマターの(陽子のラブ＋電子のラブ)の数の比はいくらか。
見える物質の原子数をx個とする。ダークマターの(陽子のラブ＋電子のラブ)の数をｙとする。
見える物質の質量は、ｘ個×(1.183×10-25Kg)、です。
ダークマターの(陽子のラブ＋電子のラブ)の質量は、y個×(1.013×10-28Kg)です。
見える物質の質量は5％で、ダークマターの質量は95％ですから、ダークマターの質量は見える物質の95÷5＝19倍です。
見える物質の質量×19＝ダークマターの質量
ｘ個×(1.183×10-25Kg) ×19＝y個×(1.013×10-28Kg)
ｘ＝y×(1.013×10-28Kg)÷(1.183×10-25Kg)÷19＝4.507×10−5×ｙ
ｘ＝4.507×10−5×ｙ
見える物質の原子数はダークマター数の4.507×10−5倍です。
ダークマター数を１とすると、見える物質の原子数は4.507×10−5です。
見える物質の原子数を１とすると、ダークマター数は、1÷（4.507×10−5）＝2.219×104、です。
見える物質の原子数：ダークマターの(陽子のラブ＋電子のラブ)の数＝4.507×10−5：1＝１：2.219×104
見える物質の原子数とダークマターの(陽子のラブ＋電子のラブ)の数の比は１：2.219×104です。
【請求項５】
宇宙の原子数が1.077×1079原子であるとすると、見える物質の原子数とダークマターの(陽子のラブ＋電子のラブ)の数の比はいくらか。その数はいくらか。その質量はいくらか。その質量エネルギーはいくらか。
ダークマター数を1.077×1079個の(陽子のラブ＋電子のラブ)であるとすると、見える物質の原子数は、1.077×1079原子×4.507×10−5＝4.854×1074個です。
その質量は、
見える物質の質量＝見える物質の原子数×見える物質の1原子の質量＝4.854×1074個×(1.183×10-25Kg)＝5.742×1049Kg
ダークマターの(陽子のラブ＋電子のラブ)の質量＝ダークマターの(陽子のラブ＋電子のラブ)の数×ダークマターの(陽子のラブ＋電子のラブ)1個の質量＝1.077×1079個×(1.013×10-28Kg)＝1.091×1051Kg
見える物質の質量：ダークマターの(陽子のラブ＋電子のラブ)の質量＝5.742×1049Kg：1.091×1051Kg＝1：19＝5：95
見える物質の質量エネルギー＝mc2＝5.742×1049Kg×9×1016＝5.168×1066J
ダークマターの(陽子のラブ＋電子のラブ)の質量エネルギー＝1.091×1051Kg×9×1016＝9.819×1067J
宇宙の原子数が1.077×1079原子であるとすると、見える物質の質量とダークマターの(陽子のラブ＋電子のラブ)の質量は5：95であり、見える物質の原子数とダークマターの(陽子のラブ＋電子のラブ)の数の比は4.507×10−5：１＝1：2.219×104です。
この事を表に示す。
宇宙の見える物質(原子)とダークマターの(陽子のラブ＋電子のラブ)
表１０
2019080395.tif 000014
【請求項６】
宇宙の見える物質(原子)の質量とダークマターの(陽子のラブ＋電子のラブ)の質量の比と、1原子の質量とダークマターの(陽子のラブ＋電子のラブ)1個の質量の比と、見える物質の原子数とダークマター(陽子のラブ＋電子のラブ)の数の比。
・宇宙の見える物質(原子)の質量とダークマターの(陽子のラブ＋電子のラブ)の質量の比は5％と95％です。
1原子の質量とダークマターの(陽子のラブ＋電子のラブ)1個の質量の比は、1.183×10-25Kg：1.013×10-28Kgです。
1.183×10-25Kg÷(1.013×10-28Kg)＝1.168×103
1.168×103：1＝100：x
ｘ＝100÷(1.168×103)＝8.562×10−2
1原子の質量とダークマターの(陽子のラブ＋電子のラブ)1個の質量の比は、1.183×10-25Kg：1.013×10-28Kg＝1.168×103：１＝100：8.562×10−2、です。
1原子の質量を100％とすると、ダークマターの(陽子のラブ＋電子のラブ)1個の質量は8.562×10−2  ％です。
見える物質の原子数とダークマター(陽子のラブ＋電子のラブ)の数の比は、4.507×10−5：1＝1：2.219×104です。
見える物質の原子数を1とすると、ダークマター(陽子のラブ＋電子のラブ)の数は2.2189×104です。
ほとんどはダークマターです。
検算
見える物質の原子数とダークマター(陽子のラブ＋電子のラブ)の数の比は、4.507×10−5：1＝1：2.219×104であるならば、見える物質の質量とダークマター(陽子のラブ＋電子のラブ)の質量の比はいくらか。
見える物質の質量＝見える物質の原子数×見える物質1個の原子の質量
見える物質の質量の比＝見える物質の原子数の比×見える物質1個の原子の質量
見える物質の質量の比＝見える物質の原子数の比×見える物質1個の原子の質量＝4.507×10−5×1.183×10-25Kg＝5.332×10−30
見える物質の質量の比＝見える物質の原子数の比×見える物質1個の原子の質量＝1×1.183×10-25Kg＝1.183×10-25
ダークマターの(陽子のラブ＋電子のラブ)の質量＝ダークマターの(陽子のラブ＋電子のラブ)の個数×ダークマターの(陽子のラブ＋電子のラブ)1個の質量
ダークマターの(陽子のラブ＋電子のラブ)の質量の比＝ダークマターの(陽子のラブ＋電子のラブ)の数の比×ダークマターの(陽子のラブ＋電子のラブ)1個の質量＝1×1.013×10-28Kg＝1.013×10-28
ダークマターの(陽子のラブ＋電子のラブ)の質量の比＝ダークマターの(陽子のラブ＋電子のラブ)の数の比×ダークマターの(陽子のラブ＋電子のラブ)1個の質量＝2.2189×104×1.013×10-28Kg＝2.2477×10−24
見える物質の質量の比：ダークマターの(陽子のラブ＋電子のラブ)の質量の比＝5.332×10−30：1.013×10-28＝１：1.013×10-28÷(5.332×10−30)＝１：19＝5：95
見える物質の質量の比：ダークマターの(陽子のラブ＋電子のラブ)の質量の比＝1.183×10-25：2.2477×10−24＝1：2.2477×10−24÷(1.183×10-25)＝1：19＝5：95
これを表に示す。
宇宙の見える物質(原子)の質量とダークマターの(陽子のラブ＋電子のラブ)の質量の比と、1原子の質量とダークマターの(陽子のラブ＋電子のラブ)1個の質量の比と、見える物質の原子数とダークマター(陽子のラブ＋電子のラブ)の数の比
表１１
2019080395.tif 000015
この表より理解できる事
１．宇宙はダークマターで満ちている。
2．ビッグバンの以前、左回転の電磁気と右回転の電磁気が各々のエネルギーの軌道を離れて回転していた事が理解できる。
3．そのため、左回転の電磁気が電子のラブに成り、右回転の電磁気が更に小さい軌道を回転し、陽子のラブに成った事が理解できる。
4．各々独立して各々の軌道で電子のラブに成り、陽子のラブに成った事が理解できる。
5．ブラックホールは陽子のラブでできている。
6．ブラックホールは陽子のラブでできているので、宇宙の中心のブラックホールも陽子のラブでできている。
7．ビッグバンの以前、宇宙の中心の軌道を回転していた電磁気は右回転の陽子のラブに成った。それがブラックホールに成った。
【請求項７】
私は、2016年11月10日に提出した、特願2016−219755．「宇宙の形と背景放射」の「請求項8」で、軌道の速度と引力はどのようであるか、を記した。そして、表4に、各々の時代のブラックホールが作った軌道半径の速度と引力を示した。しかし、107太陽質量のブラックホールが作った軌道半径と106太陽質量のブラックホールが作った軌道半径と105太陽質量のブラックホールが作った軌道半径が大きすぎる。これは、2×10−16m時代に、全てのブラックホールがジェットを噴出したと考えたためです。小さい質量のブラックホールは大きい質量のブラックホールの後の時代にできた。それで、小さい質量の107太陽質量のブラックホールが作る軌道半径と106太陽質量のブラックホールが作る軌道半径と105太陽質量のブラックホールが作る軌道半径は2×10−15m時代にできたと考えなおす。そして表4を計算して訂正する。そして、その中に、2017年9月1日に提出した特願2017−168103.「現代、宇宙はどのように成っているか」の「請求項６」の表12の136光年の軌道半径を計算して挿入する。
計算
107太陽質量のブラックホールが作る軌道エネルギーは、軌道エネルギー＝2.524×1023JKm÷軌道半径、です。
106太陽質量のブラックホールが作る軌道エネルギーは、軌道エネルギー＝5.438×1022JKm÷軌道半径、です。
105太陽質量のブラックホールが作る軌道エネルギーは、軌道エネルギー＝1.171×1022JKm÷軌道半径、です。
・107太陽質量のブラックホールが作った軌道半径の場合
2×10−15m時代の軌道半径は1.475光年
軌道エネルギー＝2.524×1023JKm÷軌道半径＝2.524×1023JKm÷(1.475×9.46×1012Km)＝1.809×109J
速度＝(1.809×109)1/2＝4.253×104Km
引力＝(1.809×109)1/2＝4.253×104Nm
2×10−14m時代の軌道半径は1.475×10光年
軌道エネルギー＝2.524×1023JKm÷軌道半径＝2.524×1023JKm÷(1.475×10×9.46×1012Km)＝1.809×108J
速度＝(1.809×108)1/2＝1.345×104Km
引力＝(1.809×108)1/2＝1.345×104 Nm
2×10−13m時代の軌道半径は1.475×102光年
軌道エネルギー＝2.524×1023JKm÷軌道半径＝2.524×1023JKm÷(1.475×102×9.46×1012Km)＝1.809×107J
速度＝(1.809×107)1/2＝4.253×103Km
引力＝(1.809×107)1/2＝4.253×103 Nm
2×10−12m時代の軌道半径は1.475×103光年
軌道エネルギー＝2.524×1023JKm÷軌道半径＝2.524×1023JKm÷(1.475×103×9.46×1012Km)＝1.809×106J
速度＝(1.809×106)1/2＝1.345×103Km
引力＝(1.809×106)1/2＝1.345×103Nm
80億年時代の軌道半径は5.900×104光年
軌道エネルギー＝2.524×1023JKm÷軌道半径＝2.524×1023JKm÷(5.900×104×9.46×1012Km)＝4.522×105J
速度＝(4.522×105)1/2＝6.725×102Km
引力＝(4.522×105)1/2＝6.725×102Nm
136億年時代の軌道半径は1.003×105光年
軌道エネルギー＝2.524×1023JKm÷軌道半径＝2.524×1023JKm÷(1.003×105×9.46×1012Km)＝2.660×105J
速度＝(2.660×105)1/2＝5.158×102Km
引力＝(2.660×105)1/2＝5.158×102Nm
150億年時代の軌道半径は1.106×105光年
軌道エネルギー＝2.524×1023JKm÷軌道半径＝2.524×1023JKm÷(1.106×105×9.46×1012Km)＝2.412×105J
速度＝(2.412×105)1/2＝4.911×102Km
引力＝(2.412×105)1/2＝4.911×102Nm
・106太陽質量のブラックホールが作った軌道半径の場合
2×10−15m時代の軌道半径は6.847光年
軌道エネルギー＝5.438×1022JKm÷軌道半径＝軌道エネルギー＝5.438×1022JKm÷(6.847×9.46×1012Km)＝8.396×108J
速度＝(8.396×108)1/2＝2.898×104Km
引力＝(8.396×108)1/2＝2.898×104Nm
2×10−14m時代の軌道半径は6.847×10光年
軌道エネルギー＝5.438×1022JKm÷軌道半径＝軌道エネルギー＝5.438×1022JKm÷(6.847×10×9.46×1012Km)＝8.396×107J
速度＝(8.396×107)1/2＝9.163×103Km
引力＝(8.396×107)1/2＝9.163×103Nm
2×10−13m時代の軌道半径は6.847×102光年
軌道エネルギー＝5.438×1022JKm÷軌道半径＝軌道エネルギー＝5.438×1022JKm÷(6.847×102×9.46×1012Km)＝8.396×106J
速度＝(8.396×106)1/2＝2.898×103Km
引力＝(8.396×106)1/2＝2.898×103Nm
2×10−12m時代の軌道半径は6.847×103光年
軌道エネルギー＝5.438×1022JKm÷軌道半径＝軌道エネルギー＝5.438×1022JKm÷(6.847×103×9.46×1012Km)＝8.396×105J
速度＝(8.396×105)1/2＝9.163×102Km
引力＝(8.396×105)1/2＝9.163×102Nm
80億年時代の軌道半径は2.739×104光年
軌道エネルギー＝5.438×1022JKm÷軌道半径＝軌道エネルギー＝5.438×1022JKm÷(2.739×104×9.46×1012Km)＝2.099×105J
速度＝(2.099×105)1/2＝4.581×102Km
引力＝(2.099×105)1/2＝4.581×102Nm
136億年時代の軌道半径は4.656×104光年
軌道エネルギー＝5.438×1022JKm÷軌道半径＝軌道エネルギー＝5.438×1022JKm÷(4.656×104×9.46×1012Km)＝1.235×105J
速度＝(1.235×105)1/2＝3.414×102Km
引力＝(1.235×105)1/2＝3.414×102Nm
150億年時代の軌道半径は5.136×104光年
軌道エネルギー＝5.438×1022JKm÷軌道半径＝軌道エネルギー＝5.438×1022JKm÷(5.136×104×9.46×1012Km)＝1.119×105J
速度＝(1.119×105)1/2＝3.345×102Km
引力＝(1.119×105)1/2＝3.345×102Nm
・105太陽質量のブラックホールが作った軌道半径の場合
2×10−15m時代の軌道半径は3.178光年
軌道エネルギー＝1.171×1022JKm÷軌道半径＝1.171×1022JKm÷(3.178×9.46×1012Km)＝3.895×108J
速度＝(3.895×108)1/2＝1.974×104Km
引力＝(3.895×108)1/2＝1.974×104Nm
2×10−14m時代の軌道半径は3.178×10光年
軌道エネルギー＝1.171×1022JKm÷軌道半径＝1.171×1022JKm÷(3.178×10×9.46×1012Km)＝3.895×107J
速度＝(3.895×107)1/2＝6.225×103Km
速度＝(3.895×107)1/2＝6.225×103Nm
2×10−13m時代の軌道半径は3.178×102光年
軌道エネルギー＝1.171×1022JKm÷軌道半径＝1.171×1022JKm÷(3.178×102×9.46×1012Km)＝3.895×106J
速度＝(3.895×106)1/2＝1.974×103Km
引力＝(3.895×106)1/2＝1.974×103Nm
2×10−12m時代の軌道半径は3.178×103光年
軌道エネルギー＝1.171×1022JKm÷軌道半径＝1.171×1022JKm÷(3.178×103×9.46×1012Km)＝3.895×105J
速度＝(3.895×105)1/2＝6.225×1012Km
引力＝(3.895×105)1/2＝6.225×1012Nm
80億年時代の軌道半径は1.271×104光年
軌道エネルギー＝1.171×1022JKm÷軌道半径＝1.171×1022JKm÷(1.271×104×9.46×1012Km)＝9.739×104J
速度＝(9.739×104)1/2＝3.121×102Km
引力＝(9.739×104)1/2＝3.121×102Nm
136億年時代の軌道半径は2.161×104光年
軌道エネルギー＝1.171×1022JKm÷軌道半径＝1.171×1022JKm÷(2.161×104×9.46×1012Km)＝5.728×104J
速度＝(5.728×104)1/2＝2.393×102Km
引力＝(5.728×104)1/2＝2.393×102Nm
150億年時代の軌道半径は2.383×104光年
軌道エネルギー＝1.171×1022JKm÷軌道半径＝1.171×1022JKm÷(2.383×104×9.46×1012Km)＝5.194×104J
速度＝(5.194×104)1/2＝2.279×102Km
引力＝(5.194×104)1/2＝2.279×102Nm
各々の時代のブラックホールが作った軌道半径の速度と引力
表１２
2019080395.tif 000016
2019080395.tif 000017
2019080395.tif 000018
この表より理解できる事
銀河系の速度は210〜240Km/sです。それならば、銀河系の中心のブラックホールは105太陽質量かも知れない。
【発明の詳細な説明】
【技術分野】
【０００１】
本発明は、見える物質(原子)の質量と見えない物質(ダークマター)の質量。見える物質(原子)の原子数と、見えない物質（ダークマター）の数に関するものである。
【背景技術】
【０００２】
2017年10月4日に提出した、特願2017−194062．「ビッグバンの以前、電磁気達が集まった状態のエネルギーと質量と大きさと体積と比重、及び、ビッグバン後、電子のラブと陽子のラブのエネルギーと質量と大きさと体積と比重の変化」に於いて質量は変化する事を理解した。
【先行技術文献】
【特許文献】
【０００３】
【特許文献１】特願2017−168103
【特許文献２】特願2017−194062
【発明の概要】
【発明が解決しようとする課題】
【０００４】
１．    質量は質量エネルギーにより異なる。
1．地表の物質の1原子の質量はいくらか。
1．銀河の星の1原子の質量はいくらか。
1．ダークマターの(陽子のラブ＋電子のラブ)1個の質量はいくらか。
２．    銀河系の物質の原子数と質量と、ダークマターの(陽子のラブ＋電子のラブ)の数と質量。宇宙全体の物質の原子数と質量と、ダークマターの(陽子のラブ＋電子のラブ)の数と質量はいくらか。
３．    銀河系の中心のブラックホールは3×106太陽質量で、銀河系の全質量は2×1012太陽質量です。この事から、宇宙の全質量を計算する。
４．    見える物質の原子数とダークマターの(陽子のラブ＋電子のラブ)の数の比はいくらか。
５．    宇宙の原子数が1.077×1079原子であるとすると、見える物質の原子数とダークマターの(陽子のラブ＋電子のラブ)の数はいくらか。その数はいくらか。その質量はいくらか。その質量エネルギーはいくらか。
６．    宇宙の見える物質(原子)とダークマターの(陽子のラブ＋電子のラブ)の質量の比と、1原子の質量とダークマターの(陽子のラブ＋電子のラブ)の質量の比と、見える物質の原子数とダークマター(陽子のラブ＋電子のラブ)の数の比。
７．    私は、2016年11月10日に提出した、特願2016−219755．「宇宙の形と背景放射」の「請求項8」で、軌道の速度と引力はどのようであるか、を記した。そして、表4に、各々の時代のブラックホールが作った軌道半径の速度と引力を示した。しかし、107太陽質量のブラックホールが作った軌道半径と106太陽質量のブラックホールが作った軌道半径と105太陽質量のブラックホールが作った軌道半径が大きすぎる。これは、2×10−16m時代に、全てのブラックホールがジェットを噴出したと考えたためです。小さい質量のブラックホールは大きい質量のブラックホールの後の時代にできた。それで、小さい質量の107太陽質量のブラックホールが作る軌道半径と106太陽質量のブラックホールが作る軌道半径と105太陽質量のブラックホールが作る軌道半径は2×10−15m時代にできたと考えなおす。そして表4を計算して訂正する。そして、その中に、2017年9月1日に提出した特願2017−168103.「現代、宇宙はどのように成っているか」の「請求項６」の表12の136光年の軌道半径を計算して挿入する。
【課題を解決するための手段】
【０００５】
1．地表の陽子のラブの質量と電子のラブの質量は1.67265×10-27Kg＋9.1×10-31Kg＝1.67356×10-27Kgです。銀河の星の温度を5000℃とすると、星のA=(5000)1/2=7.071×10です。ダークマターのA=−(273)1/2＝−16.523、です。
2．銀河系の中心のブラックホールは3×106太陽質量です。
全質量は1.26×1012太陽質量。この内可視光の物質は6.43×1010太陽質量です。
銀河系の質量は2×1012太陽質量です。
この事から次の事を考える。
1．可視光の物質は全質量の何パーセントか。
1．ダークマターの(陽子のラブ＋電子のラブ)の質量はいくらか。
1．ダークマターの(陽子のラブ＋電子のラブ)の数は何個か。
１．銀河系の可視光の物質の原子は何個か。
3．ブラックホールが支える銀河の質量は、ブラックホールの質量に比例すると考える。
宇宙の中心のブラックホールが支える事ができる質量は1.754×1019太陽質量です。
１．1.754×1019太陽質量のうち、5％の見える物質の質量はいくらか。
5％の見える物質の質量は8.77×1017太陽質量です。
１．見える物質の質量と原子数はいくらか。
1．1.754×1019太陽質量のうち、ダークマターの質量はいくらか。
ダークマターの質量は166.63×1017太陽質量です。
1．ダークマターの質量とダークマターの(陽子のラブ＋電子のラブ)の数はいくらか。
4．見える物質の原子数をx個とする。ダークマターの(陽子のラブ＋電子のラブ)の数をｙとする。
見える物質の質量は、ｘ個×(1.183×10-25Kg)、です。
ダークマターの(陽子のラブ＋電子のラブ)の質量は、y個×(1.013×10-28Kg)です。
見える物質の質量は5％で、ダークマターの質量は95％ですから、ダークマターの質量は見える物質の95÷5＝19倍です。
見える物質の質量×19＝ダークマターの質量
ｘ個×(1.183×10-25Kg) ×19＝y個×(1.013×10-28Kg)
ｘ＝y×(1.013×10-28Kg)÷(1.183×10-25Kg)÷19＝4.5068×10−5×ｙ
ｘ＝4.5068×10−5×ｙ
見える物質の原子数はダークマター数の4.5068×10−5倍です。
5．ダークマター数を1.077×1079個の(陽子のラブ＋電子のラブ)であるとすると、見える物質の原子数は、1.077×1079原子×4.5068×10−5＝4.854×1074個です。
6．宇宙の見える物質(原子)とダークマターの(陽子のラブ＋電子のラブ)の質量の比は5％と95％です。
1原子の質量とダークマターの(陽子のラブ＋電子のラブ)の質量の比は、1.183×10-25Kg：1.013×10-28Kg＝1.168×103：１＝100：8.562×10−2、です。
見える物質の原子数とダークマター(陽子のラブ＋電子のラブ)の数の比は、4.5068×10−5：1＝1：2.2189×104です。
7．計算する。
【発明の効果】
【０００６】
1．表に示す。
2．表に示す。
3．表に示す。
4．５．をまとめて表に示す。
効果を記す。
１．宇宙はダークマターに満ちている。
2．ビッグバンの以前、左回転の電磁気と右回転の電磁気が各々のエネルギーの軌道を離れて回転していた事が理解できる。
3．そのため、左回転の電磁気が電子のラブに成り、右回転の電磁気が更に小さい軌道を回転し、陽子のラブに成った。
4．各々独立して各々の軌道で電子のラブに成り、陽子のラブに成った事が理解できる。
5．ブラックホールは陽子のラブでできている。
6．ブラックホールは陽子のラブでできているので、宇宙の中心のブラックホールも陽子のラブでできている。
7．ビッグバンの以前、宇宙の中心の軌道を回転していた電磁気は右回転の陽子のラブに成った。それがブラックホールに成った。
6．表に示す。
7．表に示す。
銀河系の中心のブラックホールの質量は105太陽質量かも知れない。
【図面の簡単な説明】
【０００７】
【図１】図１は宇宙の見える物質１原子の質量とダークマターの(陽子のラブ＋電子のラブ)1個の質量の比を示す。地表の1原子の質量は、地表の(陽子のラブの質量＋電子のラブ)の質量＝1.67265×10-27Kg＋9.1×10-31Kg＝1.67356×10-27Kg、です。宇宙の見える物質を宇宙の星とし、星の温度を5000℃とする。星の温度を5000℃とすると、星のA=(5000℃)1/2=7.071×10、です。星の1原子の質量＝地表の1原子の質量×7.071×10＝1.67356×10-27Kg×7.071×10＝1.183×10-25Kg 星の1原子の質量は1.183×10-25Kgです。ダークマターの温度は−273℃です。A=(−273)1/2=-16.523ダークマターの(陽子のラブ＋電子のラブ)1個の質量＝地表の1原子の質量÷16.523＝1.67356×10-27Kg÷16.523＝1.013×10-28Kg宇宙の見える物質(星）の1原子の質量とダークマターの(陽子のラブ＋電子のラブ)1個の質量の比＝1.183×10-25Kg：1.013×10-28Kg＝1.168×103：1＝100：8.562×10−2
【図２】図２は、宇宙に存在する見える物質の原子数とダークマターの(陽子のラブ＋電子のラブ)の数の比を示す。見える物質の原子数をx個とする。ダークマターの(陽子のラブ＋電子のラブ)の数をｙとする。見える物質の質量は、ｘ個×(1.183×10-25Kg)、です。ダークマターの(陽子のラブ＋電子のラブ)の質量は、y個×(1.013×10-28Kg)です。見える物質の質量は5％で、ダークマターの質量は95％ですから、ダークマターの質量は見える物質の95÷5＝19倍です。見える物質の質量×19＝ダークマターの質量ｘ個×(1.183×10-25Kg) ×19＝y個×(1.013×10-28Kg)ｘ＝y×(1.013×10-28Kg)÷(1.183×10-25Kg)÷19＝4.507×10−5×ｙｘ＝4.507×10−5×ｙ見える物質の原子数はダークマター数の4.507×10−5倍です。ダークマター数を１とすると、見える物質の原子数は4.507×10−5です。見える物質の原子数を1とすると、ダークマター数は、1÷（4.5068×10−5）＝2.219×104、です。ほとんどはダークマターです。
【図３】図３は、見える物質の原子数とダークマター(陽子のラブ＋電子のラブ)の数の比は、4.507×10−5：1＝1：2.219×104であるならば、見える物質の質量とダークマター(陽子のラブ＋電子のラブ)の質量の比はいくらか。見える物質の質量＝見える物質の原子数×見える物質1個の原子の質量見える物質の質量の比＝見える物質の原子数の比×見える物質1個の原子の質量見える物質の質量の比＝見える物質の原子数の比×見える物質1個の原子の質量＝4.507×10−5×1.183×10-25Kg＝5.332×10−30見える物質の質量の比＝見える物質の原子数の比×見える物質1個の原子の質量＝1×1.183×10-25Kg＝1.183×10-25ダークマターの(陽子のラブ＋電子のラブ)の質量＝ダークマターの(陽子のラブ＋電子のラブ)の個数×ダークマターの(陽子のラブ＋電子のラブ)1個の質量ダークマターの(陽子のラブ＋電子のラブ)の質量の比＝ダークマターの(陽子のラブ＋電子のラブ)の数の比×ダークマターの(陽子のラブ＋電子のラブ)1個の質量＝1×1.013×10-28Kg＝1.013×10-28ダークマターの(陽子のラブ＋電子のラブ)の質量の比＝ダークマターの(陽子のラブ＋電子のラブ)の数の比×ダークマターの(陽子のラブ＋電子のラブ)1個の質量＝2.2189×104×1.013×10-28Kg＝2.248×10−24見える物質の質量の比：ダークマターの(陽子のラブ＋電子のラブ)の質量の比＝5.332×10−30：1.013×10-28＝１：1.013×10-28÷(5.332×10−30)＝１：19＝5：95見える物質の質量の比：ダークマターの(陽子のラブ＋電子のラブ)の質量の比＝1.183×10-25：2.248×10−24＝1：2.248×10−24÷(1.183×10-25)＝1：19＝5：951つの式にまとめる。見える物質の質量の：ダークマターの(陽子のラブ＋電子のラブ)の質量＝見える物質の原子数の比×見える物質1個の原子の質量：ダークマターの(陽子のラブ＋電子のラブ)の数の比×ダークマターの(陽子のラブ＋電子のラブ)1個の質量＝4.507×10−5×1.183×10-25Kg：1×1.013×10-28Kg＝5.332×10−30：1.013×10-28＝１：1.013×10-28÷(5.332×10−30)＝１：19＝5：95見える物質の質量の：ダークマターの(陽子のラブ＋電子のラブ)の質量＝見える物質の原子数の比×見える物質1個の原子の質量：ダークマターの(陽子のラブ＋電子のラブ)の数の比×ダークマターの(陽子のラブ＋電子のラブ)1個の質量＝1×1.183×10-25Kg：2.219×104×1.013×10-28Kg＝1.183×10-25：2.248×10−24＝1：2.248×10−24÷(1.183×10-25)＝1：19＝5：95
【発明を実施するための形態】
【０００８】
１．    質量は質量エネルギーにより異なる。
1．地表の物質の1原子の質量はいくらか。
地表の(陽子のラブの質量＋電子のラブ)の質量＝1.67265×10-27Kg＋9.1×10-31Kg＝1.67356×10-27Kg
地表の物質の1原子の質量は1.67356×10-27Kgです。
1．銀河の星の1原子の質量はいくらか。
星の温度を5000℃とすると、A=(5000℃)1/2=7.071×10、です。
見える物質（星）の1原子の質量＝地表の1原子の質量×(5000℃)1/2＝1.67356×10-27Kg×7.071×10＝1.183×10-25Kg
銀河の星の1原子の質量は1.183×10-25Kgです。
1．ダークマターの(陽子のラブ＋電子のラブ)1個の質量はいくらか。
ダークマターの温度は−273℃です。A=(−273)1/2=-16.523
ダークマターの(陽子のラブ＋電子のラブ)1個の質量＝地表の1原子の質量÷(273)1/2＝1.67356×10-27Kg÷16.523＝1.013×10-28Kg
ダークマターの(陽子のラブ＋電子のラブ)1個の質量は1.013×10-28Kgです。
この事を表に示す。
星の1原子の質量とダークマターの(陽子のラブ＋電子のラブ)1個の質量
表１
2019080395.tif 000003
２．    銀河系の物質の原子数と質量と、ダークマターの(陽子のラブ＋電子のラブ)の数と質量。宇宙全体の物質の原子数と質量と、ダークマターの(陽子のラブ＋電子のラブ)の数と質量はいくらか。
銀河系の中心のブラックホールは3×106太陽質量です。
全質量は1.26×1012太陽質量。この内可視光の物質は6.43×1010太陽質量です。
銀河系の質量は2×1012太陽質量です。
速度は210〜240Km/sです。
1．可視光の物質は全質量の何パーセントか。
可視光の物質÷全質量×100＝6.43×1010太陽質量÷(1.26×1012太陽質量)×100＝5(％)
可視光の物質は全質量の5パーセントです。
95％はダークマターです。
1．ダークマターの(陽子のラブ＋電子のラブ)の質量はいくらか。
ダークマター＝全質量−可視光の物質＝1.26×1012太陽質量−6.43×1010太陽質量＝(126−6.43)×1010太陽質量＝119.57×1010太陽質量
ダークマターの(陽子のラブ＋電子のラブ)の質量＝119.57×1010太陽質量＝119.57×1010×1.988×1030Kg＝2.377×1042Kg
ダークマターの(陽子のラブ＋電子のラブ)の質量は119.57×1010太陽質量で2.377×1042Kgです。
1．ダークマターの(陽子のラブ＋電子のラブ)の数は何個か。
ダークマターの(陽子のラブ＋電子のラブ)数＝119.57×1010太陽質量÷ダークマターの(陽子のラブ＋電子のラブ)1個の質量＝119.57×1010×1.988×1030Kg÷(1.013×10-28Kg)＝2.377×1042Kg ÷(1.013×10-28Kg)＝2.346×1070(個)
ダークマターの(陽子のラブ＋電子のラブ)の数は2.346×1070個です。
１．銀河系の可視光の物質の原子は何個か。
銀河系の可視光の物質の原子数＝6.43×1010太陽質量÷(1.183×10-25Kg)＝6.43×1010×1.988×1030Kg÷(1.183×10-25Kg)＝1.278×1041Kg÷(1.183×10-25Kg)＝ 1.080×1066個
銀河系の可視光の物質の原子は1.080×1066個です。
銀河系の可視光の物質は全質量の5パーセントです。その質量は6.43×1010太陽質量で、6.43×1010×1.988×1030Kg＝1.278×1041Kg、です。その原子数は、1.080×1066個です。
銀河系のダークマターの質量は119.57×1010太陽質量で、119.57×1010×1.988×1030Kg＝2.377×1042Kg、です。そのダークマターの(陽子のラブ＋電子のラブ)の数は2.346×1070個です。
表にまとめて示す。
銀河系の星の物質と銀河系のダークマター
表２
2019080395.tif 000004
３．    銀河系の中心のブラックホールは3×106太陽質量で、銀河系の全質量は2×1012太陽質量です。この事から、宇宙の全質量を計算する。
銀河系の中心のブラックホールは、3×106太陽質量で、銀河系の全質量2×1012太陽質量を支えている。
宇宙の中心のブラックホールは2.631×1013太陽質量で、どれだけの質量を支えているか。
ブラックホールが支える銀河の質量は、ブラックホールの質量に比例すると考える。
1．宇宙の中心のブラックホールが支える事ができる質量はいくらか。
2.631×1013太陽質量で支える質量をｘとする。
3×106太陽質量：2×1012太陽質量＝2.631×1013太陽質量：ｘ
ｘ＝2×1012太陽質量×2.631×1013太陽質量÷（3×106太陽質量）＝1.754×1019太陽質量
宇宙の中心のブラックホールが支える事ができる質量は1.754×1019太陽質量です。
１．1.754×1019太陽質量のうち、5％の見える物質の質量はいくらか。
1.754×1019太陽質量×0.05＝8.77×1017太陽質量
1.754×1019太陽質量のうち、5％の見える物質の質量は8.77×1017太陽質量です。
宇宙の中心のブラックホールが支える事ができる、見える物質の質量は8.77×1017太陽質量です。
１．見える物質の質量と原子数はいくらか。
見える物質の質量は、8.77×1017×太陽質量＝8.77×1017×1.988×1030Kg＝1.743×1048Kg 、です。
見える物質の質量の原子数＝見える物質の質量÷見える原子1個の質量＝1.743×1048Kg÷(1.183×10-25Kg)＝1.473×1073(個)です。
１．1.754×1019太陽質量のうち、ダークマターの質量はいくらか。
ダークマターの質量＝全質量−見える物質の質量＝1.754×1019太陽質量−8.77×1017太陽質量＝(175.4−8.77) ×1017太陽質量＝166.63×1017太陽質量
1.754×1019太陽質量のうち、ダークマターの質量は166.63×1017太陽質量です。
1．ダークマターの質量とダークマターの(陽子のラブ＋電子のラブ)の数はいくらか。
ダークマターの質量＝166.63×1017太陽質量＝166.63×1017×1.988×1030Kg＝3.312×1049Kg
ダークマターの(陽子のラブ＋電子のラブ)の数＝ダークマターの質量÷ダークマターの(陽子のラブ＋電子のラブ)1個の質量＝3.312×1049Kg÷(1.013×10-28Kg)＝3.269×1077個
この事をまとめて表に示す。
宇宙の中心のブラックホールは2.631×1013太陽質量で、支える質量は1.754×1019太陽質量です。
1.754×1019太陽質量のうち、見える物質とダークマター
表３
2019080395.tif 000005
４．    見える物質の原子数とダークマターの(陽子のラブ＋電子のラブ)の数の比はいくらか。
見える物質の原子数をx個とする。ダークマターの(陽子のラブ＋電子のラブ)の数をｙとする。
見える物質の質量は、ｘ個×(1.183×10-25Kg)、です。
ダークマターの(陽子のラブ＋電子のラブ)の質量は、y個×(1.013×10-28Kg)です。
見える物質の質量は5％で、ダークマターの質量は95％ですから、ダークマターの質量は見える物質の95÷5＝19倍です。
見える物質の質量×19＝ダークマターの質量
ｘ個×(1.183×10-25Kg) ×19＝y個×(1.013×10-28Kg)
ｘ＝y×(1.013×10-28Kg)÷(1.183×10-25Kg)÷19＝4.507×10−5×ｙ
ｘ＝4.507×10−5×ｙ
見える物質の原子数はダークマター数の4.507×10−5倍です。
ダークマター数を１とすると、見える物質の原子数は4.507×10−5です。
見える物質の原子数を１とすると、ダークマター数は、1÷（4.507×10−5）＝2.219×104、です。
見える物質の原子数：ダークマターの(陽子のラブ＋電子のラブ)の数＝4.507×10−5：1＝１：2.219×104
見える物質の原子数とダークマターの(陽子のラブ＋電子のラブ)の数の比は１：2.219×104です。
５．    宇宙の原子数が1.077×1079原子であるとすると、見える物質の原子数とダークマターの(陽子のラブ＋電子のラブ)の数の比はいくらか。その数はいくらか。その質量はいくらか。その質量エネルギーはいくらか。
ダークマター数を1.077×1079個の(陽子のラブ＋電子のラブ)であるとすると、見える物質の原子数は、1.077×1079原子×4.507×10−5＝4.854×1074個です。
その質量は、
見える物質の質量＝見える物質の原子数×見える物質の1原子の質量＝4.854×1074個×(1.183×10-25Kg)＝5.742×1049Kg
ダークマターの(陽子のラブ＋電子のラブ)の質量＝ダークマターの(陽子のラブ＋電子のラブ)の数×ダークマターの(陽子のラブ＋電子のラブ)1個の質量＝1.077×1079個×(1.013×10-28Kg)＝1.091×1051Kg
見える物質の質量：ダークマターの(陽子のラブ＋電子のラブ)の質量＝5.742×1049Kg：1.091×1051Kg＝1：19＝5：95
見える物質の質量エネルギー＝mc2＝5.742×1049Kg×9×1016＝5.168×1066J
ダークマターの(陽子のラブ＋電子のラブ)の質量エネルギー＝1.091×1051Kg×9×1016＝9.819×1067J
宇宙の原子数が1.077×1079原子であるとすると、見える物質の質量とダークマターの(陽子のラブ＋電子のラブ)の質量は5：95であり、見える物質の原子数とダークマターの(陽子のラブ＋電子のラブ)の数の比は4.507×10−5：１＝1：2.219×104です。
この事を表に示す。
宇宙の見える物質(原子)とダークマターの(陽子のラブ＋電子のラブ)
表4
2019080395.tif 000006
６．    宇宙の見える物質(原子)の質量とダークマターの(陽子のラブ＋電子のラブ)の質量の比と、1原子の質量とダークマターの(陽子のラブ＋電子のラブ)1個の質量の比と、見える物質の原子数とダークマター(陽子のラブ＋電子のラブ)の数の比。
・宇宙の見える物質(原子)の質量とダークマターの(陽子のラブ＋電子のラブ)の質量の比は5％と95％です。
1原子の質量とダークマターの(陽子のラブ＋電子のラブ)1個の質量の比は、1.183×10-25Kg：1.013×10-28Kgです。
1.183×10-25Kg÷(1.013×10-28Kg)＝1.168×103
1.168×103：1＝100：x
ｘ＝100÷(1.168×103)＝8.562×10−2
1原子の質量とダークマターの(陽子のラブ＋電子のラブ)1個の質量の比は、1.183×10-25Kg：1.013×10-28Kg＝1.168×103：１＝100：8.562×10−2、です。
1原子の質量を100％とすると、ダークマターの(陽子のラブ＋電子のラブ)1個の質量は8.562×10−2  ％です。
見える物質の原子数とダークマター(陽子のラブ＋電子のラブ)の数の比は、4.507×10−5：1＝1：2.219×104です。
見える物質の原子数を1とすると、ダークマター(陽子のラブ＋電子のラブ)の数は2.2189×104です。
ほとんどはダークマターです。
検算
見える物質の原子数とダークマター(陽子のラブ＋電子のラブ)の数の比は、4.507×10−5：1＝1：2.219×104であるならば、見える物質の質量とダークマター(陽子のラブ＋電子のラブ)の質量の比はいくらか。
見える物質の質量＝見える物質の原子数×見える物質1個の原子の質量
見える物質の質量の比＝見える物質の原子数の比×見える物質1個の原子の質量
見える物質の質量の比＝見える物質の原子数の比×見える物質1個の原子の質量＝4.507×10−5×1.183×10-25Kg＝5.332×10−30
見える物質の質量の比＝見える物質の原子数の比×見える物質1個の原子の質量＝1×1.183×10-25Kg＝1.183×10-25
ダークマターの(陽子のラブ＋電子のラブ)の質量＝ダークマターの(陽子のラブ＋電子のラブ)の個数×ダークマターの(陽子のラブ＋電子のラブ)1個の質量
ダークマターの(陽子のラブ＋電子のラブ)の質量の比＝ダークマターの(陽子のラブ＋電子のラブ)の数の比×ダークマターの(陽子のラブ＋電子のラブ)1個の質量＝1×1.013×10-28Kg＝1.013×10-28
ダークマターの(陽子のラブ＋電子のラブ)の質量の比＝ダークマターの(陽子のラブ＋電子のラブ)の数の比×ダークマターの(陽子のラブ＋電子のラブ)1個の質量＝2.2189×104×1.013×10-28Kg＝2.2477×10−24
見える物質の質量の比：ダークマターの(陽子のラブ＋電子のラブ)の質量の比＝5.332×10−30：1.013×10-28＝１：1.013×10-28÷(5.332×10−30)＝１：19＝5：95
見える物質の質量の比：ダークマターの(陽子のラブ＋電子のラブ)の質量の比＝1.183×10-25：2.2477×10−24＝1：2.2477×10−24÷(1.183×10-25)＝1：19＝5：95
これを表に示す。
宇宙の見える物質(原子)の質量とダークマターの(陽子のラブ＋電子のラブ)の質量の比と、1原子の質量とダークマターの(陽子のラブ＋電子のラブ)1個の質量の比と、見える物質の原子数とダークマター(陽子のラブ＋電子のラブ)の数の比
表５
2019080395.tif 000007
この表より理解できる事
１．宇宙はダークマターで満ちている。
2．ビッグバンの以前、左回転の電磁気と右回転の電磁気が各々のエネルギーの軌道を離れて回転していた事が理解できる。
3．そのため、左回転の電磁気が電子のラブに成り、右回転の電磁気が更に小さい軌道を回転し、陽子のラブに成った事が理解できる。
4．各々独立して各々の軌道で電子のラブに成り、陽子のラブに成った事が理解できる。
5．ブラックホールは陽子のラブでできている。
6．ブラックホールは陽子のラブでできているので、宇宙の中心のブラックホールも陽子のラブでできている。
7．ビッグバンの以前、宇宙の中心の軌道を回転していた電磁気は右回転の陽子のラブに成った。それがブラックホールに成った。
７．    私は、2016年11月10日に提出した、特願2016−219755．「宇宙の形と背景放射」の「請求項8」で、軌道の速度と引力はどのようであるか、を記した。そして、表4に、各々の時代のブラックホールが作った軌道半径の速度と引力を示した。しかし、107太陽質量のブラックホールが作った軌道半径と106太陽質量のブラックホールが作った軌道半径と105太陽質量のブラックホールが作った軌道半径が大きすぎる。これは、2×10−16m時代に、全てのブラックホールがジェットを噴出したと考えたためです。小さい質量のブラックホールは大きい質量のブラックホールの後の時代にできた。それで、小さい質量の107太陽質量のブラックホールが作る軌道半径と106太陽質量のブラックホールが作る軌道半径と105太陽質量のブラックホールが作る軌道半径は2×10−15m時代にできたと考えなおす。そして表4を計算して訂正する。そして、その中に、2017年9月1日に提出した特願2017−168103.「現代、宇宙はどのように成っているか」の「請求項６」の表12の136光年の軌道半径を計算して挿入する。
計算
107太陽質量のブラックホールが作る軌道エネルギーは、軌道エネルギー＝2.524×1023JKm÷軌道半径、です。
106太陽質量のブラックホールが作る軌道エネルギーは、軌道エネルギー＝5.438×1022JKm÷軌道半径、です。
105太陽質量のブラックホールが作る軌道エネルギーは、軌道エネルギー＝1.171×1022JKm÷軌道半径、です。
・107太陽質量のブラックホールが作った軌道半径の場合
2×10−15m時代の軌道半径は1.475光年
軌道エネルギー＝2.524×1023JKm÷軌道半径＝2.524×1023JKm÷(1.475×9.46×1012Km)＝1.809×109J
速度＝(1.809×109)1/2＝4.253×104Km
引力＝(1.809×109)1/2＝4.253×104Nm
2×10−14m時代の軌道半径は1.475×10光年
軌道エネルギー＝2.524×1023JKm÷軌道半径＝2.524×1023JKm÷(1.475×10×9.46×1012Km)＝1.809×108J
速度＝(1.809×108)1/2＝1.345×104Km
引力＝(1.809×108)1/2＝1.345×104 Nm
2×10−13m時代の軌道半径は1.475×102光年
軌道エネルギー＝2.524×1023JKm÷軌道半径＝2.524×1023JKm÷(1.475×102×9.46×1012Km)＝1.809×107J
速度＝(1.809×107)1/2＝4.253×103Km
引力＝(1.809×107)1/2＝4.253×103 Nm
2×10−12m時代の軌道半径は1.475×103光年
軌道エネルギー＝2.524×1023JKm÷軌道半径＝2.524×1023JKm÷(1.475×103×9.46×1012Km)＝1.809×106J
速度＝(1.809×106)1/2＝1.345×103Km
引力＝(1.809×106)1/2＝1.345×103Nm
80億年時代の軌道半径は5.900×104光年
軌道エネルギー＝2.524×1023JKm÷軌道半径＝2.524×1023JKm÷(5.900×104×9.46×1012Km)＝4.522×105J
速度＝(4.522×105)1/2＝6.725×102Km
引力＝(4.522×105)1/2＝6.725×102Nm
136億年時代の軌道半径は1.003×105光年
軌道エネルギー＝2.524×1023JKm÷軌道半径＝2.524×1023JKm÷(1.003×105×9.46×1012Km)＝2.660×105J
速度＝(2.660×105)1/2＝5.158×102Km
引力＝(2.660×105)1/2＝5.158×102Nm
150億年時代の軌道半径は1.106×105光年
軌道エネルギー＝2.524×1023JKm÷軌道半径＝2.524×1023JKm÷(1.106×105×9.46×1012Km)＝2.412×105J
速度＝(2.412×105)1/2＝4.911×102Km
引力＝(2.412×105)1/2＝4.911×102Nm
・106太陽質量のブラックホールが作った軌道半径の場合
2×10−15m時代の軌道半径は6.847光年
軌道エネルギー＝5.438×1022JKm÷軌道半径＝軌道エネルギー＝5.438×1022JKm÷(6.847×9.46×1012Km)＝8.396×108J
速度＝(8.396×108)1/2＝2.898×104Km
引力＝(8.396×108)1/2＝2.898×104Nm
2×10−14m時代の軌道半径は6.847×10光年
軌道エネルギー＝5.438×1022JKm÷軌道半径＝軌道エネルギー＝5.438×1022JKm÷(6.847×10×9.46×1012Km)＝8.396×107J
速度＝(8.396×107)1/2＝9.163×103Km
引力＝(8.396×107)1/2＝9.163×103Nm
2×10−13m時代の軌道半径は6.847×102光年
軌道エネルギー＝5.438×1022JKm÷軌道半径＝軌道エネルギー＝5.438×1022JKm÷(6.847×102×9.46×1012Km)＝8.396×106J
速度＝(8.396×106)1/2＝2.898×103Km
引力＝(8.396×106)1/2＝2.898×103Nm
2×10−12m時代の軌道半径は6.847×103光年
軌道エネルギー＝5.438×1022JKm÷軌道半径＝軌道エネルギー＝5.438×1022JKm÷(6.847×103×9.46×1012Km)＝8.396×105J
速度＝(8.396×105)1/2＝9.163×102Km
引力＝(8.396×105)1/2＝9.163×102Nm
80億年時代の軌道半径は2.739×104光年
軌道エネルギー＝5.438×1022JKm÷軌道半径＝軌道エネルギー＝5.438×1022JKm÷(2.739×104×9.46×1012Km)＝2.099×105J
速度＝(2.099×105)1/2＝4.581×102Km
引力＝(2.099×105)1/2＝4.581×102Nm
136億年時代の軌道半径は4.656×104光年
軌道エネルギー＝5.438×1022JKm÷軌道半径＝軌道エネルギー＝5.438×1022JKm÷(4.656×104×9.46×1012Km)＝1.235×105J
速度＝(1.235×105)1/2＝3.414×102Km
引力＝(1.235×105)1/2＝3.414×102Nm
150億年時代の軌道半径は5.136×104光年
軌道エネルギー＝5.438×1022JKm÷軌道半径＝軌道エネルギー＝5.438×1022JKm÷(5.136×104×9.46×1012Km)＝1.119×105J
速度＝(1.119×105)1/2＝3.345×102Km
引力＝(1.119×105)1/2＝3.345×102Nm
・105太陽質量のブラックホールが作った軌道半径の場合
2×10−15m時代の軌道半径は3.178光年
軌道エネルギー＝1.171×1022JKm÷軌道半径＝1.171×1022JKm÷(3.178×9.46×1012Km)＝3.895×108J
速度＝(3.895×108)1/2＝1.974×104Km
引力＝(3.895×108)1/2＝1.974×104Nm
2×10−14m時代の軌道半径は3.178×10光年
軌道エネルギー＝1.171×1022JKm÷軌道半径＝1.171×1022JKm÷(3.178×10×9.46×1012Km)＝3.895×107J
速度＝(3.895×107)1/2＝6.225×103Km
速度＝(3.895×107)1/2＝6.225×103Nm
2×10−13m時代の軌道半径は3.178×102光年
軌道エネルギー＝1.171×1022JKm÷軌道半径＝1.171×1022JKm÷(3.178×102×9.46×1012Km)＝3.895×106J
速度＝(3.895×106)1/2＝1.974×103Km
引力＝(3.895×106)1/2＝1.974×103Nm
2×10−12m時代の軌道半径は3.178×103光年
軌道エネルギー＝1.171×1022JKm÷軌道半径＝1.171×1022JKm÷(3.178×103×9.46×1012Km)＝3.895×105J
速度＝(3.895×105)1/2＝6.225×1012Km
引力＝(3.895×105)1/2＝6.225×1012Nm
80億年時代の軌道半径は1.271×104光年
軌道エネルギー＝1.171×1022JKm÷軌道半径＝1.171×1022JKm÷(1.271×104×9.46×1012Km)＝9.739×104J
速度＝(9.739×104)1/2＝3.121×102Km
引力＝(9.739×104)1/2＝3.121×102Nm
136億年時代の軌道半径は2.161×104光年
軌道エネルギー＝1.171×1022JKm÷軌道半径＝1.171×1022JKm÷(2.161×104×9.46×1012Km)＝5.728×104J
速度＝(5.728×104)1/2＝2.393×102Km
引力＝(5.728×104)1/2＝2.393×102Nm
150億年時代の軌道半径は2.383×104光年
軌道エネルギー＝1.171×1022JKm÷軌道半径＝1.171×1022JKm÷(2.383×104×9.46×1012Km)＝5.194×104J
速度＝(5.194×104)1/2＝2.279×102Km
引力＝(5.194×104)1/2＝2.279×102Nm
各々の時代のブラックホールが作った軌道半径の速度と引力
表６
2019080395.tif 000008
2019080395.tif 000009
2019080395.tif 000010
この表より理解できる事
銀河系の速度は210〜240Km/sです。それならば、銀河系の中心のブラックホールは105太陽質量かも知れない。
【産業上の利用可能性】
【０００９】
宇宙がどのようであるかを知ることは産業の発展に役立つ。
【符号の説明】
【００１０】
１    見える物質（星）の1原子の質量は1.183×10-25Kg    
２    ダークマターの(陽子のラブ＋電子のラブ)1個の質量は1.013×10-28Kg    
３    見える物質(星）の1原子の質量：ダークマターの(陽子のラブ＋電子のラブ)1個の質量＝1.183×10-25Kg：1.013×10-28Kg＝1.168×103：1＝100：8.562×10−2
４    ダークマターの(陽子のラブ＋電子のラブ)の数を１とすると、５  見える物質の原子数は4.507×10−5
５    見える物質の原子数を1とすると、４  ダークマターの(陽子のラブ＋電子のラブ)の数は2.219×104
６    見える物質の質量の比＝4.507×10−5×1.183×10-25Kg＝5.332×10−30
７    ダークマターの(陽子のラブ＋電子のラブ)の質量の比＝1×1.013×10-28Kg＝1.013×10-28
見える物質の質量：ダークマターの(陽子のラブ＋電子のラブ)の質量＝4.507×10−5×1.183×10-25Kg：1×1.013×10-28Kg＝5.332×10−30：1.013×10-28＝１：1.013×10-28÷(5.332×10−30)＝１：19＝5：95
【図１】
2019080395.tif 000019
【図２】
2019080395.tif 000020
【図３】
2019080395.tif 000021